(57)【要約】【課題】加飾部材を取り付けることで操作部の装飾を換えることが容易になると共に、操作によって加飾部材が操作部から外れるのを防止することができるスイッチを提供する。【解決手段】右前スイッチ２ａは、図１（ｂ）及び図２（ａ）に示すように、回転軸２４ｂと交差する方向に位置する前面部２１を引き上げる操作方向である第１の操作方向、及び第１の操作方向とは反対の操作方向である第２の操作方向に操作可能であり、前面部２１、上部２５ａ及び側面部を切り欠いて形成された前面２０１、上面２０２及び側面２０３を有する被収納部２００を有する操作部２０と、被収納部２００を収納する収納部２６ａを有する被覆部材としての加飾部材２６と、を備えて概略構成されている。【選択図】図１
2014002944.tif 000002
【特許請求の範囲】
【請求項１】
回転軸と交差する方向に位置する前面部を引き上げる操作方向である第１の操作方向、及び前記第１の操作方向とは反対の操作方向である第２の操作方向に操作可能であり、前記前面部、上部及び側面部を切り欠いて形成された前面、上面及び側面を有する被収納部を有する操作部と、
前記被収納部を収納する収納部を有する被覆部材と、
を備え、
前記収納部が前記被収納部を収納するように前記被覆部材が前記操作部に取り付けられて前記被収納部の前記前面と対向する前記収納部の第１の面とが接触し、この前記前面と前記第１の面との接触により、前記第１の操作方向への操作による前記被覆部材の前記上部側の端部を回転中心とする回転を規制するスイッチ。
【請求項２】
前記被収納部の前記上面と前記前面とにより形成される第１の角度が鋭角であり、
前記収納部の前記第１の面と前記上面に対向する第２の面とにより形成される第２の角度は、前記第１の角度と実質的に一致する請求項１に記載のスイッチ。
【請求項３】
前記被覆部材は、前記操作部の前記前面部、又は前記操作部の前記側面部から取り付けられる請求項１に記載のスイッチ。
【請求項４】
前記被収納部は、前記前面及び前記側面の少なくとも１つに開口が形成され、
前記被覆部材は、前記開口に挿入されて前記操作部と一体となる爪を有する請求項３に記載のスイッチ。
【発明の詳細な説明】
【技術分野】
【０００１】
本発明は、スイッチに関する。
【背景技術】
【０００２】
従来の技術として、車両のウインドガラスを開閉するための車両用パワーウインドウスイッチが知られている（例えば、特許文献１参照。）。
【０００３】
この車両用パワーウインドウスイッチは、ドアのアームレストに配置され、ノブを操作することでウインドガラスを開閉することができる。
【先行技術文献】
【特許文献】
【０００４】
【特許文献１】特開平５−１６６４３５号公報
【発明の概要】
【発明が解決しようとする課題】
【０００５】
しかし、従来の車両用パワーウインドウスイッチは、ノブに装飾を加える場合、ノブそのものを交換する方法、印刷でノブに装飾を施す方法等が考えられるが、いずれもユーザが容易に行えるものではない。
【０００６】
従って、本発明の目的は、加飾部材を取り付けることで操作部の装飾を換えることが容易になると共に、操作によって加飾部材が操作部から外れるのを防止することができるスイッチを提供することにある。
【課題を解決するための手段】
【０００７】
本発明の一態様は、回転軸と交差する方向に位置する前面部を引き上げる操作方向である第１の操作方向、及び第１の操作方向とは反対の操作方向である第２の操作方向に操作可能であり、前面部、上部及び側面部を切り欠いて形成された前面、上面及び側面を有する被収納部を有する操作部と、被収納部を収納する収納部を有する被覆部材と、を備え、収納部が被収納部を収納するように被覆部材が操作部に取り付けられて被収納部の前面と対向する収納部の第１の面とが接触し、この前面と第１の面との接触により、第１の操作方向への操作による被覆部材の上部側の端部を回転中心とする回転を規制するスイッチを提供する。
【発明の効果】
【０００８】
本発明によれば、加飾部材を取り付けることで操作部の装飾を換えることが容易になると共に、操作によって加飾部材が操作部から外れるのを防止することができる。
【図面の簡単な説明】
【０００９】
【図１】図１（ａ）は、実施の形態に係る複数のスイッチを備えたスイッチ装置が搭載された車両の右ドアのアームレストの概略図であり、（ｂ）は、スイッチ装置の概略図である。
【図２】図２（ａ）は、実施の形態に係るスイッチの操作部の左側面図であり、（ｂ）は、加飾部材の斜視図であり、（ｃ）は、加飾部材の右側面図であり、（ｄ）は、加飾部材を取り付けた操作部の左側面図である。
【図３】図３（ａ）は、実施の形態に係る加飾部材の側面部方向からの取り付けを説明するための概略図であり、（ｂ）は、加飾部材の前面部方向からの取り付けを説明するための概略図であり、（ｃ）は、右前スイッチを引き上げた状態を示す概略図である。
【発明を実施するための形態】
【００１０】
（実施の形態の要約）
実施の形態に係るスイッチは、回転軸と交差する方向に位置する前面部を引き上げる操作方向である第１の操作方向、及び第１の操作方向とは反対の操作方向である第２の操作方向に操作可能であり、前面部、上部及び側面部を切り欠いて形成された前面、上面及び側面を有する被収納部を有する操作部と、被収納部を収納する収納部を有する被覆部材と、を備え、収納部が被収納部を収納するように被覆部材が操作部に取り付けられて被収納部の前面と対向する収納部の第１の面とが接触し、この前面と第１の面との接触により、第１の操作方向への操作による被覆部材の上部側の端部を回転中心とする回転を規制する。
【００１１】
[実施の形態]
（スイッチ装置１の構成）
図１（ａ）は、実施の形態に係る複数のスイッチを備えたスイッチ装置が搭載された車両の右ドアのアームレストの概略図であり、（ｂ）は、スイッチ装置の概略図である。図２（ａ）は、実施の形態に係るスイッチの操作部の左側面図であり、（ｂ）は、加飾部材の斜視図であり、（ｃ）は、加飾部材の右側面図であり、（ｄ）は、加飾部材を取り付けた操作部の左側面図である。図３（ａ）は、実施の形態に係る加飾部材の側面部方向からの取り付けを説明するための概略図であり、（ｂ）は、加飾部材の前面部方向からの取り付けを説明するための概略図であり、（ｃ）は、右前スイッチを引き上げた状態を示す概略図である。図３（ａ）及び（ｂ）に示す矢印は、加飾部材の取付方向を示すものである。なお、実施の形態に係る各図において、部品と部品との比率は、実際の比率とは異なる場合がある。
【００１２】
本実施の形態に係るスイッチ装置１は、一例として、車両のウインドウの開閉を指示することができる複数のスイッチを備えている。このスイッチ装置１は、図１（ａ）に示すように、車両の右ドア６０のアームレスト６１に配置されている。なお、以下に示す上下は、車両の上下を基準とし、左右は、車両に乗る乗員から見た左右を基準としている。また前とは、車両の前方を基準とし、後は、車両の後方を基準としている。
【００１３】
このスイッチ装置１は、図１（ａ）及び（ｂ）に示すように、右前スイッチ２ａと、左前スイッチ２ｂと、右後スイッチ２ｃと、左後スイッチ２ｄと、を備えて概略構成されている。図１（ｂ）は、スイッチ装置１の上部に設けられたベゼル５と、左前スイッチ２ｂの操作部２０と、を取り外した状態を図示している。
【００１４】
右前スイッチ２ａは、図１（ａ）に示すように、左前スイッチ２ｂと並んで配置されている。また右後スイッチ２ｃは、右前スイッチ２ａの後方に配置され、その左隣りには、左後スイッチ２ｄが配置されている。
【００１５】
右前スイッチ２ａは、車両の右側前方のウインドウの開閉を指示することができるスイッチである。左前スイッチ２ｂは、車両の左側前方のウインドウの開閉を指示することができるスイッチである。右後スイッチ２ｃは、車両の右側後方のウインドウの開閉を指示することができるスイッチである。左後スイッチ２ｄは、車両の左側後方のウインドウの開閉を指示することができるスイッチである。
【００１６】
ここで、図１（ｂ）に示すように、右側に配置されるスイッチは、左側に配置されるスイッチとは、加飾部材２６が露出する側面が異なっている。しかし、右側に配置される加飾部材２６と、左側に配置される加飾部材２６とは、後述する収納部が露出する位置等が左右逆になっているものの構成は同様である。従って、以下では、主に、右前スイッチ２ａを例にして構成等を説明する。また、以下では、右前スイッチ２ａ、左前スイッチ２ｂ、右後スイッチ２ｃ及び左後スイッチ２ｄを総称する場合は、スイッチと記載するものとする。
【００１７】
右前スイッチ２ａは、図１（ｂ）及び図２（ａ）に示すように、回転軸２４ｂと交差する方向に位置する前面部２１を引き上げる操作方向である第１の操作方向（矢印Ａ方向）、及び第１の操作方向とは反対の操作方向である第２の操作方向（矢印Ｂ方向）に操作可能であり、前面部２１、上部２５ａ及び側面部（左側面部２３ｂ）を切り欠いて形成された前面２０１、上面２０２及び側面２０３を有する被収納部２００を有する操作部２０と、被収納部２００を収納する収納部２６ａを有する被覆部材としての加飾部材２６と、を備えて概略構成されている。
【００１８】
また右前スイッチ２ａは、図２（ａ）〜（ｄ）に示すように、収納部２６ａが被収納部２００を収納するように加飾部材２６が操作部２０に取り付けられて被収納部２００の前面２０１と対向する収納部２６ａの第１の面２６ｂとが接触し、この前面２０１と第１の面２６ｂとの接触により、第１の操作方向への操作による加飾部材２６の上部側の端部２６３を回転中心２６８とする回転を規制するように構成されている。
【００１９】
スイッチ装置１は、図１（ｂ）に示すように、箱形状を有する筐体１０の設置面１２に、右前スイッチ２ａ、左前スイッチ２ｂ、右後スイッチ２ｃ及び左後スイッチ２ｄのそれぞれのスイッチ部３が設置されている。
【００２０】
（操作部２０の構成）
操作部２０は、下部２５ｂが開放された箱形状を有している。操作部２０は、一例として、アクリロニトリル／ブタジエン／スチレン（ＡＢＳ）等の合成樹脂材料を用いて形成されている。なお操作部２０は、下部２５ｂに形成された図示しない開口にスイッチ部３が挿入される。
【００２１】
前面部２１は、操作者の指の腹の形に応じた曲線形状を有している。同様に、前面部２１を切り欠いて形成した前面２０１は、操作者の指の腹の形に応じた曲線形状を有している。つまり前面部２１の表面の形状に合わせて加飾部材２６の厚み分切り欠いて形成される面が前面２０１である。
【００２２】
前面部２１の反対側の後面部２２は、図２（ａ）に示すように、丸みを帯びた形状となっている。この後面部２２は、ベゼル５によって上部が覆われるので、ユーザからは見え難くなっている。
【００２３】
操作者が、前面部２１、及び加飾部材２６の前面部２６２に指を接触させて、操作部２０を上方向に引き上げる操作、つまり矢印Ａ方向への操作を行うことで、操作部２０は、回転軸２４ｂを中心として矢印Ａ方向に回転するように構成されている。また、操作部２０は、押し下げる操作が行われることにより、回転軸２４ｂを中心として矢印Ｂ方向に回転するように構成されている。
【００２４】
図２（ａ）及び（ｃ）に示すように、被収納部２００の上面２０２と前面２０１とにより形成される第１の角度θ１が鋭角であり、収納部２６ａの第１の面２６ｂと上面２０２に対向する第２の面２６ｃとにより形成される第２の角度θ２は、第１の角度θ１と実質的に一致する。つまり、被収納部２００は、矢印Ａ方向への操作によって加飾部材２６が外れないように構成されている。
【００２５】
この被収納部２００は、加飾部材２６の厚みに応じて操作部２０を切り欠いて形成されている。すなわち、操作部２０に加飾部材２６が取り付けられた場合、操作部２０の前面部２１と加飾部材２６の前面部２６２との表面が滑らかに繋がっている。また操作部２０の上部２５ａの表面と加飾部材２６の上部２６０の表面とが滑らかに繋がっている。さらに操作部２０の左側面部２３ｂの表面と加飾部材２６の左側面部２６６の表面とが滑らかに繋がっている。
【００２６】
また被収納部２００は、前面２０１及び側面２０３の少なくとも１つに開口２０３ａが形成されている。この開口２０３ａは、後述する加飾部材２６の爪２６ｅが挿入されて開口２０３ａはまり込んで引っかかることにより、操作部２０から加飾部材２６が外れ難くなるように構成されている。つまり、爪２６ｅは、開口２０３ａの奥行よりも長く構成され、爪２６ｅが開口２０３ａに挿入され、爪２６ｅの先端が開口２０３ａから突出することにより、先端が開口２０３ａの端部に引っかかる形状となっている。この開口２０３ａは、図２（ａ）の側面視において、横に細長い形状を有している。
【００２７】
ここで、例えば、図３（ａ）に示すように、加飾部材２６が操作部２０の側面部方向から取り付けられる場合、開口２０３ａは、側面２０３に形成されることが好ましい。
【００２８】
また変形例として、例えば、図２（ｂ）に示すように、加飾部材２６が操作部２０の側面部方向から取り付けられる場合、開口２０３ａは、前面２０１に形成されることが好ましい。
【００２９】
つまり、開口２０３ａは、加飾部材２６の取り付けが容易になることから取付方向に位置する面に形成されることが好ましい。
【００３０】
操作部２０の右側面部２３ａ及び左側面部２３ｂには、取付部２４ａがそれぞれに設けられている。この取付部２４ａは、半円形状を有し、その中央には軸が挿入可能な開口が形成されている。操作部２０は、取付部２４ａに挿入された軸を回転軸として回転する。この取付部２４ａは、後述するスイッチ部３の取付部３１に取り付けられる。
【００３１】
被収納部２００の上面２０２には、図３（ａ）及び（ｂ）に示すように、開口２０２ａが形成されている。この開口２０２ａは、後述する拡散部材３３から出射する光を通過させて加飾部材２６を第２の面２６ｃ側から照明するために設けられている。つまり当該光は、第２の面２６ｃから加飾部材２６の内部を伝播して上部２６０から出射する。従って加飾部材２６は、当該光によって照明される。また加飾部材２６は、例えば、上部２６０に形成されたマーク等の画像を、光が透過する部材で形成し、当該光を透過させる構成であっても良い。
【００３２】
（加飾部材２６の構成）
加飾部材２６は、一つの頂点を形成する三つの面（上部２６０、前面部２６２及び下面２６５の表面）が開放されて収納部２６ａが形成されている。この収納部２６ａは、操作部２０の被収納部２００の形状に応じて形成されている。加飾部材２６は、一例として、アクリル等の合成樹脂材料を用いて形成されている。
【００３３】
加飾部材２６は、操作部２０の前面部２１、又は操作部２０の側面部から取り付けられるように構成されている。また加飾部材２６は、操作部２０の開口２０３ａに応じた内壁に爪２６ｅを備えている。この爪２６ｅは、内壁から突出するように形成され、開口２０３ａに挿入されて開口２０３ａと一体となり、操作部２０から加飾部材２６が外れ難くなるように構成されている。
【００３４】
加飾部材２６が、例えば、図３（ａ）に示すように、操作部２０の左側面部２３ｂから取り付けられる場合、開口２０３ａが側面２０３に形成されているので、爪２６ｅは、側面２０３に対向する収納部２６ａの内壁である第３の面２６ｄに形成される。
【００３５】
また、加飾部材２６が、例えば、図３（ｂ）に示すように、操作部２０の前面部２１から取り付けられる場合、開口２０３ａが前面２０１に形成されているので、爪２６ｅは、前面２０１に対向する収納部２６ａの内壁である第１の面２６ｂに形成される。なお、開口２０３ａが複数形成される場合は、開口２０３ａに応じて爪２６ｅが複数形成される。
【００３６】
加飾部材２６が操作部２０に取り付けられている場合、第１の面２６ｂと前面２０１とが接触している。従って、上述のように、第１の角度θ１と第２の角度θ２とが鋭角であり、かつ第１の面２６ｂと前面２０１とが接触しているので、矢印Ａ方向の操作に伴う加飾部材２６の操作部２０からの外れが防止される。
【００３７】
具体的には、加飾部材２６が、操作部２０に取り付けられている場合、前面部２６２の反対側に位置する端部２６３は、例えば、操作部２０の端面２５０と接触している。従って、操作部２０が矢印Ａ方向に操作された際、加飾部材２６は、図２（ｄ）に示すように、端部２６３と端面２５０との角近傍が回転中心２６８となって操作部２０に対して回転しようとする。しかし、第１の角度θ１と第２の角度θ２とが鋭角であり、第１の面２６ｂと前面２０１とが接触していると共に爪２６ｅが開口２０３ａに挿入されているので、矢印Ａ方向の操作に伴う回転が規制され、加飾部材２６が操作部２０から外れるのを防止する。
【００３８】
上記に示したように、スイッチは、図３（ｃ）に示すように、矢印Ａ方向に引き上げた状態で加飾部材２６が交換できないように構成されている。
【００３９】
（スイッチ部３の構成）
スイッチ部３は、図１（ｂ）に示すように、立方体形状を有する筐体３０を有する。この筐体３０の設置面３０ａには、２つの取付部３１と、ストッパ３２と、拡散部材３３と、開スイッチ３４と、閉スイッチ３５と、が配置されている。
【００４０】
取付部３１には、操作部２０の取付部２４ａが取り付けられる。操作部２０は、スイッチ部３に対して上下方向、すなわち矢印Ａ方向及び矢印Ｂ方向に回転可能になる。
【００４１】
ストッパ３２は、図１（ｂ）に示すように、半円柱形状を有する。このストッパ３２は、操作部２０の矢印Ａ方向への回転を、予め定められた角度で止めるために設けられている。このストッパ３２は、操作部２０の下部２５ｂに設けられた開口に挿入され、操作部２０の開口に形成された部分と接触するように構成されている。
【００４２】
拡散部材３３は、例えば、筐体３０内に配置された図示しない発光素子から発せられた光を拡散させて操作部２０の開口２０２ａに導くものである。
【００４３】
開スイッチ３４は、車両のウインドウを開かせる信号を出力するように構成されている。この開スイッチ３４は、操作部２０が矢印Ａ方向に操作された際、操作部２０によって押し下げられるように構成されている。
【００４４】
閉スイッチ３５は、車両のウインドウを閉じさせる信号を出力するように構成されている。この閉スイッチ３５は、操作部２０が矢印Ｂ方向に操作された際、操作部２０によって押し下げられるように構成されている。
【００４５】
以下に、右前スイッチ２ａへの加飾部材２６の取り付けについて、各図を参照しながら説明する。
【００４６】
（加飾部材２６の取り付け）
・加飾部材２６を側面部から取り付ける場合
まず、ユーザは、操作部２０の左側面部２３ｂに加飾部材２６の右側面部２６４を対向させ、被収納部２００の前面２０１を加飾部材２６の第１の面２６ｂに接触させると共に、被収納部２００の上面２０２を加飾部材２６の第２の面２６ｃに接触させる。
【００４７】
続いてユーザは、被収納部２００の前面２０１及び上面２０２に案内されながら加飾部材２６を操作部２０に向けて移動させ、被収納部２００の側面２０３の開口２０３ａに加飾部材２６の爪２６ｅを押し込み、爪２６ｅを開口２０３ａにはめ込む。このはめ込みにより、操作部２０への加飾部材２６の取り付けは終了する。
【００４８】
・加飾部材２６を前面部から取り付ける場合
まず、ユーザは、操作部２０の前面部２１に加飾部材２６の端部２６３を対向させ、被収納部２００の上面２０２を加飾部材２６の第２の面２６ｃに接触させると共に、被収納部２００の側面２０３を加飾部材２６の第３の面２６ｄに接触させる。
【００４９】
続いてユーザは、被収納部２００の上面２０２及び側面２０３に案内されながら加飾部材２６を操作部２０に向けて移動させ、被収納部２００の前面２０１の開口２０３ａに加飾部材２６の爪２６ｅを押し込み、爪２６ｅを開口２０３ａにはめ込む。このはめ込みにより、操作部２０への加飾部材２６の取り付けは終了する。
【００５０】
（実施の形態の効果）
本実施の形態に係るスイッチ（右前スイッチ２ａ、左前スイッチ２ｂ、右後スイッチ２ｃ及び左後スイッチ２ｄ）は、加飾部材２６を取り付けることで操作部２０の装飾を換えることが容易になると共に、操作によって加飾部材２６が操作部２０から外れるのを防止することができる。
【００５１】
具体的には、スイッチは、操作部２０に装飾を施した加飾部材２６を取り付けることができるので、印刷等で操作部に装飾を施す場合と比べて、容易に装飾を換えることができる。
【００５２】
また操作部２０の被収納部２００の前面２０１と上面２０２とにより形成される第１の角度θ１が鋭角であり、加飾部材２６の収納部２６ａの第１の面２６ｂと第２の面２６ｃとにより形成される第２の角度θ２が第１の角度θ１と実質的に一致するので、第１の操作方向への操作による加飾部材２６の外れを防止することができる。
【００５３】
またスイッチは、車両のグレードごとに装飾を換えたい場合、加飾部材２６を交換することによって、容易に装飾を換えることが可能となる。また、スイッチは、加飾部材２６を形成するための材料、及び材料に混ぜる色素等を変えることによって、様々な装飾にすることが可能となる。
【００５４】
スイッチは、前面部２１の表面と前面部２６２の表面、上部２５ａの表面と上部２６０の表面とが滑らかに繋がっているので意匠が優れている。
【００５５】
またスイッチは、加飾部材２６を用いて装飾を換えるので、操作部に装飾を加える場合と比べて、加飾部材２６の第２の面２６ｃが単純な表面形状になり、アクリル等の光の透過性が高い合成樹脂材料等を用いた厚み感の表現等が可能となり意匠に優れる。
【００５６】
スイッチは、操作部２０の上部から先端にかけて一体的な加飾表現が可能となる。
【００５７】
なお、本実施の形態では、スイッチを車両のウインドウを開閉するスイッチに適用したが、これに限定されない。
【００５８】
以上、本発明のいくつかの実施の形態を説明したが、これらの実施の形態は、一例に過ぎず、特許請求の範囲に係る発明を限定するものではない。これら新規な実施の形態は、その他の様々な形態で実施されることが可能であり、本発明の要旨を逸脱しない範囲で、種々の省略、置き換え、変更等を行うことができる。また、これら実施の形態の中で説明した特徴の組合せの全てが発明の課題を解決するための手段に必須であるとは限らない。さらに、これら実施の形態は、発明の範囲及び要旨に含まれるとともに、特許請求の範囲に記載された発明とその均等の範囲に含まれる。
【符号の説明】
【００５９】
１…スイッチ装置、２ａ…右前スイッチ、２ｂ…左前スイッチ、２ｃ…右後スイッチ、２ｄ…左後スイッチ、３…スイッチ部、１０…筐体、１２…設置面、２０…操作部、２１…前面部、２３ａ…右側面部、２３ｂ…左側面部、２４ａ…取付部、２４ｂ…回転軸、２５ａ…上部、２５ｂ…下部、２６…加飾部材、２６ａ…収納部、２６ｂ…第１の面、２６ｃ…第２の面、２６ｄ…第３の面、２６ｅ…爪、３０…筐体、３０ａ…設置面、３１…取付部、３２…ストッパ、３３…拡散部材、３４…開スイッチ、３５…閉スイッチ、６０…右ドア、６１…アームレスト、２００…被収納部、２０１…前面、２０２…上面、２０２ａ…開口、２０３…側面、２０３ａ…開口、２５０…端面、２６０…上部、２６２…前面部、２６３…端部、２６４…右側面部、２６６…左側面部、２６８…回転中心
【図１】
2014002944.tif 000003
【図２】
2014002944.tif 000004
【図３】
2014002944.tif 000005